(57)【特許請求の範囲】
【請求項１】
底面と、該底面の各辺から立設された側面と、天面とを形成する壁面で構成される商品収容部を備え、前記壁面の少なくとも一つを切断して、前記商品収容部の開口を形成する包装展示兼用箱において、
前記壁面の少なくとも一つが、前記開口の縁辺から間隔を置いた位置に、前記縁辺に沿って始点及び終点を並設したラベル片形成用切目線と該ラベル片形成用切目線の始点及び終点を結ぶ連結部とで区画された揺動ラベル片を有し、
該揺動ラベル片は、前記連結部から前記縁辺とは反対の方向に向かって延設した基部と表示部とを有し、
前記連結部を軸として、前記揺動ラベル片を前記商品収容部内に向かって折曲げたとき、前記基部と前記表示部との境界部の全部が、前記開口から露出し、
前記基部には、少なくとも１本の折曲げ線が形成され、該折曲げ線で折曲げると、前記表示部が前記壁面の外側に突出することを特徴とする包装展示兼用箱。
【請求項２】
前記基部が、前記表示部の幅の最も広い部分よりも幅狭の帯部であることを特徴とする請求項１に記載の包装展示兼用箱。
【請求項３】
前記揺動ラベル片が、前記側面の少なくとも１つに設けられていることを特徴とする請求項１又は２に記載の包装展示兼用箱。
【請求項４】
前記開口が、前記側面を切断して、該側面の一部及び前記天面を除去して形成されてなることを特徴とする請求項１〜３のいずれか一つに記載の包装展示兼用箱。
【請求項５】
前記基部が、前記連結部側から順に、第１基部と第２基部とを有し、
前記第１基部と前記第２基部との間及び前記第２基部と前記表示部との間には、折曲げ線が形成されていることを特徴とする請求項１〜４のいずれか一つに記載の包装展示兼用箱。
【発明の詳細な説明】
【技術分野】
【０００１】
本発明は、商品の包装及び展示に兼用される包装展示兼用箱に関し、特には、展示において、消費者への訴求力を高めることができる包装展示兼用箱に関する。
【背景技術】
【０００２】
商品の運搬又は保管に使用した後、そのまま展示に使用できる、包装及び展示に兼用される包装展示兼用箱が提案されている。このような包装展示兼用箱は、運搬又は保管時には、直方体の箱であり、展示時には、直方体を構成する側面に形成された切目線から切断して、上半分を取り除いて商品を露出させ、残った下半分を商品展示用の箱として使用することができる。
【０００３】
包装展示兼用箱に関し、販売促進を目的として、展示時に商品情報、広告情報などの情報を提供できるものが提案されている。例えば、包装展示兼用箱を構成する側面のうち、消費者に面する側面の一部に情報を表示して、その部分を外側に折曲げて突出させることで、消費者からの視認性を高めたものが提案されている（例えば、特許文献１又は特許文献２を参照。）。
【０００４】
消費者の視線を更に惹きつける手段として、撓み性のある細長いラベル基材の一端部に貼着用の粘着剤層を設け、そのラベル基材の表面に任意のラベル印刷を施した揺動可能なスイングラベルが知られている（例えば、特許文献３を参照。）。また、包装展示兼用箱を構成する側面のうち、消費者に面する側面の上端部より高く天面部の方向に伸びる揺動可能な揺動ディスプレイ板を備えた紙製ディスプレイ兼用包装箱が提案されている（例えば、特許文献４を参照。）。包装容器の表板に取り付けて又は包装用台紙を加工して、表面及び裏面にそれぞれ表示部を設けた揺動ラベル部を設け、揺動ラベル部を捲ることによって、裏面の表示部が露出し、かつ、揺動ラベル部が表板から突出した状態で揺動することで、商品を目立たせて広告宣伝効果を得ることができるディスプレイ具が提案されている（例えば、特許文献５を参照。）。
【先行技術文献】
【特許文献】
【０００５】
【特許文献１】特開２０００−２１１６３５号公報
【特許文献２】特開２００１−１７１６５３号公報
【特許文献３】特開２００５−１５７１９３号公報
【特許文献４】特開２００７−１６１３３０号公報
【特許文献５】実用新案登録第３１２０６０１号公報
【発明の概要】
【発明が解決しようとする課題】
【０００６】
特許文献３〜特許文献５のように、情報の表示部分が、風又は振動によって揺動するようにする手段は、特許文献１又は特許文献２のように表示部分が固定されている場合よりも、消費者の視線を惹きつけて、情報を消費者に伝達するのに効果的である。しかし、包装展示兼用箱は、展示期間が比較的短い場合が多く、また商品に付随するものであるため、費やすコストを抑えることが望まれる。特許文献３のように、箱本体の他に別部材のラベルを用いる場合では、コスト高となり、実用性に欠ける。特許文献４のように、揺動ディスプレイ板が起立した状態では、商品が取り出しにくく、また商品を取り出す時に、商品が揺動ディスプレイ板に当たって、揺動ディスプレイ板が破損し、広告宣伝効果を奏さなくなるおそれがある。また、特許文献５は、揺動ラベル部の表面のみならず、裏面にも印刷する必要があり、結果的にコスト高となる。
【０００７】
そこで、本発明の目的は、商品の包装及び展示に兼用される包装展示兼用箱に関し、その箱を利用して、商品情報、広告情報などの情報を消費者に効果的に伝達して、消費者への訴求力を高めることができる包装展示兼用箱を提供することである。
【課題を解決するための手段】
【０００８】
本発明に係る包装展示兼用箱は、底面と、該底面の各辺から立設された側面と、天面とを形成する壁面で構成される商品収容部を備え、前記壁面の少なくとも一つを切断して、前記商品収容部の開口を形成する包装展示兼用箱において、前記壁面の少なくとも一つが、前記開口の縁辺から間隔を置いた位置に、前記縁辺に沿って始点及び終点を並設したラベル片形成用切目線と該ラベル片形成用切目線の始点及び終点を結ぶ連結部とで区画された揺動ラベル片を有し、該揺動ラベル片は、前記連結部から前記縁辺とは反対の方向に向かって延設した基部と表示部とを有し、前記連結部を軸として、前記揺動ラベル片を前記商品収容部内に向かって折曲げたとき、前記基部と前記表示部との境界部の全部が、前記開口から露出し、前記基部には、少なくとも１本の折曲げ線が形成され、該折曲げ線で折曲げると、前記表示部が前記壁面の外側に突出することを特徴とする。
【０００９】
本発明に係る包装展示兼用箱では、前記基部が、前記表示部の幅の最も広い部分よりも幅狭の帯部であることが好ましい。揺動ラベルが、前後及び左右に揺れて、消費者への訴求力をより高めることができる。
【００１０】
本発明に係る包装展示兼用箱では、前記揺動ラベル片が、前記側面の少なくとも１つに設けられていることが好ましい。情報をより効果的に消費者に伝達することができる。
【００１１】
本発明に係る包装展示兼用箱では、前記開口が、前記側面を切断して、該側面の一部及び前記天面を除去して形成されてなることが好ましい。商品が消費者から視認しやすく、更に訴求力を高めることができる。
【００１２】
本発明に係る包装展示兼用箱では、前記基部が、前記連結部側から順に、第１基部と第２基部とを有し、前記第１基部と前記第２基部との間及び前記第２基部と前記表示部との間には、折曲げ線が形成されていることが好ましい。揺動ラベルの表示部をより確実に消費者の方に向けることができる。
【発明の効果】
【００１３】
本発明は、商品の包装及び展示に兼用される包装展示兼用箱に関し、その箱を利用して、商品情報、広告情報などの情報を消費者に効果的に伝達して、消費者への訴求力を高めることができる包装展示兼用箱を提供することができる。
【図面の簡単な説明】
【００１４】
【図１】本実施形態に係る包装展示兼用箱の一例のブランクシートを示す図である。
【図２】本実施形態に係る包装展示兼用箱の包装状態を示す斜視図である。
【図３】本実施形態に係る包装展示兼用箱を開封した状態を示す斜視図である。
【図４】揺動ラベル片の使用方法を説明するための図である。
【図５】揺動ラベル片の使用方法を説明するための図である。
【図６】揺動ラベル片の別の形態例を示す図であり、（ａ）は揺動ラベルを切起こす前の状態を示す図であり、（ｂ）は揺動ラベルを切起こした状態を示す図である。
【発明を実施するための形態】
【００１５】
次に、本発明について実施形態を示して詳細に説明するが本発明はこれらの記載に限定して解釈されない。本発明の効果を奏する限り、実施形態は種々の変形をしてもよい。
【００１６】
図１は、本実施形態に係る包装展示兼用箱の一例のブランクシートを示す図である。図２は、本実施形態に係る包装展示兼用箱の包装状態を示す斜視図である。図３は、本実施形態に係る包装展示兼用箱を開封した状態を示す斜視図である。図４は、揺動ラベル片の使用方法を説明するための図である。図５は、揺動ラベル片の使用方法を説明するための図である。本実施形態に係る包装展示兼用箱１００は、図２に示すように、底面３と、底面３の各辺から立設された側面２ａ，２ｂ，２ｃ，２ｄと、天面１とを形成する壁面２０で構成される商品収容部５０を備え、図３に示すように、壁面２０の少なくとも一つを切断して、商品収容部５０の開口５１を形成する包装展示兼用箱において、壁面２０の少なくとも一つが、開口５１の縁辺５１ａから間隔を置いた位置に、縁辺５１ａに沿って始点３１ａ及び終点３１ｂを並設したラベル片形成用切目線３１とラベル片形成用切目線３１の始点３１ａ及び終点３１ｂを結ぶ連結部３２とで区画された揺動ラベル片３０を有し、揺動ラベル片３０は、連結部３２から縁辺５１ａとは反対の方向に向かって延設した基部３３と表示部３４とを有し、図４に示すように、連結部３２を軸として、揺動ラベル片３０を商品収容部５０内に向かって折曲げたとき、基部３３と表示部３４との境界部３７の全部が、開口５１から露出する。
【００１７】
包装展示兼用箱１００を構成する材料は、特に限定されないが、板紙、段ボール紙などの紙であることが好ましい。
【００１８】
包装展示兼用箱１００は、図１に示すごとく、シート状の原紙から１容器ごとに打抜かれたブランクシート１０を組み立てて形成することが好ましい。ブランクシート１０は、図１に示すように、糊代片６と側面２ａ〜２ｄとが連接する。側面２ａ〜２ｄは、展示状態で店舗の通路側を向く面、すなわち、消費者と対面する面となる前側面２ｂ、前側面２ｂの左側に位置する左側面２ａ、前側面２ｂの右側に位置する右側面２ｃ及び前側面２ｂと対向する後側面２ｄである。そして、前側面２ｂ及び後側面２ｄの下方には、それぞれ底面形成用小片３ｂ，３ｄが連接している。さらに、左側面２ａ及び右側面２ｃの下方には、それぞれ底面形成用大片３ａ１，３ｃ１が連接している。左側面２ａに連接する底面形成用大片３ａ１の前側面２ｂ側には、折罫線９３ａを介して底接着片３ａ２が連接しており、右側面２ｃに連接する底面形成用大片３ｃ１の後側面２ｄ側には、折罫線９３ｃを介して底接着片３ｃ２が連接している。さらに、左側面２ａの上方には、天面１及び差込片５がこの順で連接し、前側面２ｂ及び後側面２ｄの上方には、それぞれフラップ４ｂ，４ｄが連接している。
【００１９】
ブランクシート１０には、商品収容部５０の開口５１を形成するための切目線７（７ａ，７ｂ）が設けられている。切目線７（７ａ，７ｂ）は、図１に示すように、左側面２ａ、前側面２ｂ及び右側面２ｃに設けることが好ましい。さらに、ブランクシート１０には、ラベル片形成用切目線３１とラベル片形成用切目線３１の始点３１ａ及び終点３１ｂを結ぶ連結部３２とで区画された領域として、揺動ラベル片３０が設けられている。揺動ラベル片３０は、側面２ａ〜２ｄに設けることが好ましく、図１に示すように、前側面２ｂに設けることがより好ましい。なお、本実施形態では、切目線７（７ａ，７ｂ）又は揺動ラベル片３０を設ける位置は、これに限定されない。
【００２０】
ブランクシート１０の表面（特に、包装展示兼用箱１００の外面となる側の面）には、商品広告などを印刷して、消費者への訴求力を高めることができる。
【００２１】
次に、ブランクシート１０から包装展示兼用箱１００を組み立てて、図２に示すような商品を包装した状態とする手順を説明する。
【００２２】
まず、左側面２ａ、前側面２ｂ、右側面２ｃ及び後側面２ｄを角筒状に折曲げ、糊代片６を後側面２ｄに貼着する。同時に、底接着片３ａ２と底面形成用小片３ｂとを接着し、かつ、底接着片３ｃ２と底面形成用小片３ｄとを接着した後、折罫線９３ａ，９３ｃで容器の内側に向かって折曲げて平らなカートン状に折り畳む。商品の包装前は、この折り畳んだ状態で、運搬・保管することができる。
【００２３】
商品を包装するには、左側面２ａ、前側面２ｂ、右側面２ｃ及び後側面２ｄを四角く広げると、自動的に底面形成用大片３ａ１と底面形成用大片３ｃ１とが係合して、平らな底面３を形成する。このような底面３の構造は、オートマチックロックボトム構造と呼ばれ、接着を剥すことなく箱を折り畳むことができ、また一旦折り畳んだ箱を、接着資材を用いることなく、再度組み立てることができる点で、店舗など現場での作業に適している。そして、商品を箱内に収容し、フラップ４ｂ，４ｄを折曲げた後、天面１を折曲げ、差込片５を天面１と右側面２ｃとの間に差し込んで封緘する。
【００２４】
収容される商品は、特に限定されず、例えば、日用品、食品又は医薬品である。
【００２５】
本実施形態に係る包装展示兼用箱１００の展開図は、図１に示すように、一般的な箱の形状から逸脱しないため、包装箱を形成するのに必要な紙の面積を最小限とし、更には、ブランクシート１０の形成時に発生する不要な部分（ブランクシート１０の周辺部分）として発生する損紙の量を減少することができる。また、従来の製函機を用いて、組立て及び包装を行うことができる。結果として、包装展示兼用箱１００を製造するのに要するコストを抑えることができる。また、箱本体以外の部品を必要としないため、使用後の廃棄が容易である。
【００２６】
次に、図２及び図３を参照して、包装展示兼用箱の包装状態の構造及び包装展示兼用箱を開封する方法を説明する。
【００２７】
本実施形態に係る包装展示兼用箱１００は、図２に示すように、底面３、底面３の各辺から立設された側面２ａ，２ｂ，２ｃ，２ｄと、天面１とを形成する壁面２０で構成される箱体であり、その内部の空間は、商品収容部５０であり、展示販売するための商品を収容できるようになっている。底面３は、箱体の底部となる。側面２ａ，２ｂ，２ｃ，２ｄは、前側面２ｂと、左側面２ａと、右側面２ｃと、後側面２ｄとを含む。天面１は、箱体を閉鎖状態にする。
【００２８】
包装展示兼用箱１００は、壁面２０の少なくとも一つを切断して、商品収容部５０の開口５１を形成する。本実施形態に係る包装展示兼用箱１００では、図３に示すように、開口５１が、側面２ａ，２ｂ，２ｃ，２ｄを切断して、側面２ａ，２ｂ，２ｃ，２ｄの一部及び天面１を除去して形成されてなることが好ましい。図２では、前側面２ｂ、左側面２ａ及び右側面２ｃに、切目線７が設けられ、切目線７を切断すると、図３に示すように、側面２ａ，２ｂ，２ｃの一部及び天面１を除去して箱の上方部を開放できるようになっている。これによって、消費者が、商品を視認しやすくなり、また商品を取り出しやすくなるため、更に訴求力を高めることができる。
【００２９】
切目線７は、易開封性の観点から、平行に２列の切目線７（７ａ，７ｂ）を設けることが好ましい。また、切目線７（７ａ，７ｂ）は、前側面２ｂでは上下方向の中央部に、左側面２ａ及び右側面２ｃでは、中央部から上部に向かって斜めに形成されていることが好ましい。このように形成することで、開封後に商品の前方からの視認性を高めることができる。また、前側面２ｂの切目線７（７ａ，７ｂ）の中央部には、切目線７（７ａ，７ｂ）の間隔を他の部分よりも広くした幅広部８を設けることが好ましい。幅広部８を設けることで、開封し易くなり、かつ、開封状態において、幅広部８は、切欠き１８となって、前方からの商品の視認性をより高める効果を奏する。
【００３０】
次に、図３〜図５を参照して、揺動ラベル片３０の構成及びその使用方法について説明する。
【００３１】
壁面２０の少なくとも一つには、開口５１の縁辺５１ａから開口５１とは反対の方向に間隔を置いた位置に、縁辺５１ａに沿って始点３１ａ及び終点３１ｂを並設したラベル片形成用切目線３１とラベル片形成用切目線３１の始点３１ａ及び終点３１ｂを結ぶ連結部３２とで区画された揺動ラベル片３０が設けられている。揺動ラベル片３０を設ける壁面２０は、天面１、側面２ａ，２ｂ，２ｃ，２ｄ又は底面３である。本実施形態に係る包装展示兼用箱１００では、揺動ラベル片３０が、側面２ａ，２ｂ，２ｃ，２ｄの少なくとも１つに設けられていることが好ましい。より好ましくは、揺動ラベル片３０は、図３に示すように、前側面２ｂに設けられる。これによって、消費者が、揺動ラベル片３０を視認しやすくなり、情報をより効果的に消費者に伝達することができる。
【００３２】
ラベル片形成用切目線３１の始点３１ａと縁辺５１ａとの間隔ｔ１又はラベル片形成用切目線３１の終点３１ｂと縁辺５１ａとの間隔ｔ２は、特に限定されないが、壁面２０と揺動ラベル片３０との結合部分の強度を考慮して、５ｍｍ以上とすることが好ましい。より好ましくは、１０ｍｍ以上である。ラベル片形成用切目線３１の始点３１ａと縁辺５１ａとの間隔ｔ１又はラベル片形成用切目線３１の終点３１ｂと縁辺５１ａとの間隔ｔ２の上限値は、揺動ラベル片３０を設けた壁面２０の寸法及び揺動ラベル片３０の寸法に応じて、適宜設計することができるが、３０ｍｍとすることが好ましい。上限値は、より好ましくは、２０ｍｍである。なお、ラベル片形成用切目線３１の始点３１ａと縁辺５１ａとの間隔ｔ１とラベル片形成用切目線３１の終点３１ｂと縁辺５１ａとの間隔ｔ２とが同値であることがより好ましい。
【００３３】
ラベル片形成用切目線３１は、揺動ラベル片３０を壁面２０から切り起こすことができる形態であればよく、例えば、全切り線、半切り線（ハーフカット）、ミシン目である。この中で、ミシン目がより好ましい。連結部３２は、壁面２０と揺動ラベル片３０とが分離しなければよく、例えば、ラベル片形成用切目線３１の始点３１ａ及び終点３１ｂを結ぶ仮想線、折罫線、半切り線（ハーフカット）、ミシン目である。この中で、折曲げが容易、かつ、的確に行える点で、折罫線、半切り線（ハーフカット）又はミシン目であることがより好ましく、折罫線であることが特に好ましい。
【００３４】
揺動ラベル片３０は、連結部３２から縁辺５１ａとは反対の方向に向かって延設した基部３３と表示部３４とを有する。基部３３は、撓むか又は折曲げられて揺動ラベル片３０を揺動可能とする役割をもつ。基部３３の形状は、特に限定されず、例えば、長方形、正方形、台形、その他多角形、樽形又はこれらの変形である。
【００３５】
表示部３４は、基部３３と連接し、商品情報、広告情報などのＰＯＰ（ｐｏｉｎｔ  ｏｆ  ｐｕｒｃｈａｓｅ）情報を表示する部分である。ＰＯＰ情報は、例えば、商品名、価格、使用方法、広告文、宣伝文などを記載した文字情報及び／又は商品、イラスト、キャラクターなどを表した図形情報である。また、表示部３４には、ＰＯＰ情報の他に、単なる模様又は色彩などとしての印刷が施されていてもよい。表示部３４は、揺動ラベル片３０の先端部に設けることが好ましい。表示部３４の形状は、特に限定されず、例えば、三角形、四角形、台形、その他多角形、円形又はこれらの変形である。また、収容している商品の形状を模した形状、企業、商品又はキャンペーンのシンボルとなるキャラクターの形状としてもよく、適宜設計することができる。
【００３６】
本実施形態では、基部３３と表示部３４とが連接した箇所において、非連続的な形状として、明確に区画されている形態、基部３３と表示部３４とが連接した箇所において、連続的な形状として、明確に区画されていない形態を包含する。より好ましくは、基部３３と表示部３４とが連接した箇所において、非連続的な形状として、明確に区画されている形態である。例えば、明確に区画された形状が、表示部３４の形状として列挙した三角形、四角形、台形、その他多角形、円形又はこれらの変形の形状と一致する。明確に区画された表示部３４にＰＯＰ情報を表示することで、見栄えが良くなり、訴求効果をより高めることができる。また、表示部３４には、ＰＯＰ情報以外に、単なる模様としての印刷が施される場合があるが、この印刷は、表示部３４だけにしてもよいし、表示部３４及び基部３３につながって施されていてもよい。
【００３７】
本実施形態に係る包装展示兼用箱１００では、基部３３が、表示部３４の幅の最も広い部分よりも幅狭の帯部であることが好ましい。本明細書において、帯部であるとは、基部３３が細長い形状であることをいい、例えば、図３に示した、連結部３２から一定の幅を保って延設した長方形であり、当該長方形の一部に幅の狭い部分又は広い部分を有する形態、当該長方形の一部に幅方向に張り出した部分又はくびれた部分を有する形態などの変形形態（不図示）を包含する。帯部としての基部３３は、揺動ラベルが、前後及び左右に揺れて、消費者への訴求力をより高めることができる。
【００３８】
表示部３４は、図４に示すように、連結部３２を軸として、揺動ラベル片３０を商品収容部５０内に向かって折曲げたとき、基部３３と表示部３４との境界部３７の全部が、開口５１から露出するように設計する。基部３３と表示部３４との境界部３７のうち、開口５１から露出しない部分があると、表示部３４を壁面２０の外側に突出させたときに、表示部３４の途中で折り返されて、表示部３４に表示したＰＯＰ情報の全体を正面に向けることができないところ、基部３３と表示部３４との境界部３７の全部が開口５１から露出するように設計することで、表示部３４を壁面２０の外側に突出させたときに、表示部３４に表示したＰＯＰ情報の全体が正面を向くこととなる。単なる模様としての印刷は、正面を向くか向かないかを問わないが、正面を向くことがより好ましい。より好ましくは、基部３３と表示部３４との境界部３７の全部及び基部３３の一部が、開口５１から露出するように設計する。このように設計することで、基部３３に印刷した単なる模様、色彩などを含めて正面に向けることができる。また、揺れの同期を長くすることができる。揺動ラベル片３０は、連結部３２を軸として、商品収容部５０内に向かって折曲げると、図４に示すように包装展示兼用箱１００の内面となる側の面（以降、裏面ということもある。）が正面を向き、図５に示すように、縁辺５１ａに跨らせるようにして、表示部３４を壁面２０の外側に突出させると、揺動ラベル片３０は、表示部３４の自重で垂れ下がるか、又は基部３３と表示部３４との境界部３７で折曲げられて垂れ下がる。そして、矢印Ｓに示すように、風又は振動を受けて揺動し、より高い広告宣伝効果を奏する。この時、包装展示兼用箱１００の外面となる側の面（以降、表面ということもある。）が正面を向くこととなるため、表面だけに印刷すればよい。よって、裏面の印刷工程、表面及び裏面の位置合わせなどの作業を省略でき、包装展示兼用箱１００を製造するのに要するコストを抑えることができる。
【００３９】
図６は、揺動ラベル片の別の形態例を示す図であり、（ａ）は揺動ラベルを切起こす前の状態を示す図であり、（ｂ）は揺動ラベルを切起こした状態を示す図である。本実施形態に係る包装展示兼用箱１００では、基部３３には、少なくとも１本の折曲げ線３５，３６が形成されていることが好ましい。これによって、包装展示兼用箱１００を構成する材料の剛性が高くても、表示部３４を確実に壁面２０の外側に突出させることができる。より好ましくは、図６（ａ）に示すように、基部３３が、連結部３２側から順に、第１基部３３ａと第２基部３３ｂとを有し、第１基部３３ａと第２基部３３ｂとの間に折曲げ線３５が形成され、かつ、第２基部３３ｂと表示部３４との間に、折曲げ線３６が形成されている形態である。これによって、図６（ｂ）に示すように、第２基部３３ｂで縁辺５１ａに跨らせるようにして、表示部３４を確実に壁面２０の外側に突出させ、かつ、揺動ラベル片３０の表示部３４をより確実に消費者の方に向けることができる。折曲げ線３５，３６は、印刷した線、折罫線、半切り線（ハーフカット）、ミシン目などの折曲げ誘導線である。
【００４０】
ここまで、包装展示兼用箱１００の形状が、底面３を形成する長方形の壁面と、側面２ａ，２ｂ，２ｃ，２ｄを形成する長方形の壁面と、天面１を形成する長方形の壁面とで構成される直方体である形態を例にとって説明してきたが、本発明は、包装展示兼用箱１００の形状に制限されない。変形態様は、例えば、三角柱、五角柱、六角柱などの多角柱、四角錘などの角錐、円柱又はこれらの変形体である。
【００４１】
開口５１を、側面２ａ，２ｂ，２ｃの一部及び天面１を除去して箱の上方部に設けた形態を例にとって説明してきたが、これに限定されない。変形態様としては、例えば、側面の一つに、窓状の切抜き部を設け、該切抜き部を開口とする形態、側面の一つを全面除去して開口とする形態である。
【００４２】
本実施形態では、左側面２ａ及び右側面２ｃに、図１及び図２に示すように、商品の転倒を防止するための掛止片１９を設けてもよい。掛止片１９は、折罫線９ａと切目線９ｂとで囲まれた領域を、折罫線９ａを軸として、切目線９ｂを商品収容部５０の内側に向かって押し破って、商品収容部５０内に押込むことで形成される。
【００４３】
図１では、底面３の構造をオートマチックロックボトム構造とした形態を示したが、本発明は、底面３の構造に制限されるものではなく、コスト及び工程などを勘案して、適当な構造を採用することができる。揺動ラベル片３０を底面３に設ける場合には、底面３をオートマチックロックボトムのように底面形成用の複数の片を組み合わせて形成する形態ではなく、図１に示す天面１のように、底面３を一の片で形成する形態とすることが好ましい。
【００４４】
図１では、左側面２ａ、前側面２ｂ、右側面２ｃ及び後側面２ｄの順で連接する形態を示したが、本実施形態はこの形態に限定されない。例えば、前側面２ｂ、右側面２ｃ、後側面２ｄ及び左側面２ａの順で連接させる形態、右側面２ｃ、後側面２ｄ、左側面２ａ及び前側面２ｂの順で連接させる形態、後側面２ｄ、左側面２ａ、前側面２ｂ及び右側面２ｃの順で連接させる形態とすることができる。また、天面１が、左側面２ａの上方に連接する形態を示したが、本実施形態はこの形態に限定されない。天面１は、前側面２ｂ、右側面２ｃ又は後側面２ｄのいずれかに連接させてもよい。
【符号の説明】
【００４５】
１  天面
２ａ  左側面
２ｂ  前側面
２ｃ  右側面
２ｄ  後側面
３  底面
３ａ１、３ｃ１  底面形成用大片
３ａ２、３ｃ２  底接着片
３ｂ、３ｄ  底面形成用小片
４ｂ、４ｄ  フラップ
５  差込片
６  糊代片
７（７ａ、７ｂ）  切目線
８  幅広部
９ａ  折罫線
９ｂ  切目線
１０  ブランクシート
１８  切欠き
１９  掛止片
２０  壁面
３０  揺動ラベル片
３１  ラベル片形成用切目線
３１ａ  始点
３１ｂ  終点
３２  連結部
３３  基部
３３ａ  第１基部
３３ｂ  第２基部
３４  表示部
３５，３６  折曲げ線
３７  境界部
５０  商品収容部
５１  開口
５１ａ  縁辺
９３ａ  折罫線
９３ｃ  折罫線
１００  包装展示兼用箱
【図１】
0005667470.tif 000002
【図２】
0005667470.tif 000003
【図３】
0005667470.tif 000004
【図４】
0005667470.tif 000005
【図５】
0005667470.tif 000006
【図６】
0005667470.tif 000007